(57)【要約】【課題】  コンパクトな構成により閉鎖的ないし狭隘な空間の内部に設置されるＲＦタグとの間で電波の送受信を確実かつ円滑に行うことができるＲＦタグ用リーダライタ装置におけるアンテナ装置を提供する。【解決手段】  アンテナ装置１は、送受信用アンテナ部２，３と、送信専用アンテナ部４と、第一の送受信用アンテナ切替装置５と、第二のアンテナ切替装置６とを備える。送受信用アンテナ部２，３は、ＲＦタグＢに対して送信する送信電波を発信し、ＲＦタグＢが該送信電波に応答すべく発信した応答電波を受信する。第一のアンテナ切替装置５は、送受信用アンテナ部２，３につき、制御装置７への接続を選択的に切り替える。送信専用アンテナ部４は、専ら送信電波を発信するために用いる。第二のアンテナ切替装置６は、送受信用アンテナ部２，３と送信専用アンテナ部４とにつき、制御装置７への接続を選択的に切り替える。【選択図】      図２
0003233767.tif 000002
【実用新案登録請求の範囲】
【請求項１】
ＲＦタグとの間で電子情報を授受するための電波を送受信するためのＲＦタグ用リーダライタ装置におけるアンテナ装置であって、複数の送受信用アンテナ部と、単数又は複数の送信専用アンテナ部と、第一の送受信用アンテナ切替装置と、第二のアンテナ切替装置とを備えており、該送受信用アンテナ部は、該ＲＦタグに対して送信する送信電波を発信するために用いるとともに、該ＲＦタグが該送信電波に応答すべく発信した応答電波を受信するために用いるアンテナ部であって、相互に異なる位置に設置されており、該第一のアンテナ切替装置は、それぞれの該送受信用アンテナ部につき、ＲＦタグ用リーダライタ装置を制御するための制御装置への接続を選択的に切り替えるための装置であり、該送信専用アンテナ部は、専ら送信電波を発信するために用いるアンテナであって、該送受信用アンテナ部とは異なる位置に設置されており、該第二のアンテナ切替装置は、該送受信用アンテナ部と該送信専用アンテナ部とにつき、該制御装置への接続を選択的に切り替えるための装置であることを特徴とするＲＦタグ用リーダライタ装置におけるアンテナ装置。
【請求項２】
請求項１に記載したＲＦタグ用リーダライタ装置におけるアンテナ装置であって、前記送受信用アンテナ部の個数が２つであって、前記送信専用アンテナ部の個数が単数であることを特徴とするＲＦタグ用リーダライタ装置におけるアンテナ装置。
【考案の詳細な説明】
【技術分野】
【０００１】
本願考案は、各種の電子情報をＲＦタグに書き込んだり、既にＲＦタグに書き込まれている電子情報の内容を書き換えたり、あるいはそれを読み込んだりするＲＦタグ用リーダライタ装置においてＲＦタグとの間で電子情報を授受するための電波を送受信するためのアンテナ装置に関する。
【背景技術】
【０００２】
ＲＦＩＤとは、「Ｒａｄｉｏ  Ｆｒｅｑｕｅｎｃｙ  Ｉｄｅｎｔｉｆｉｅｒ」ないし「Ｒａｄｉｏ  Ｆｒｅｑｕｅｎｃｙ  Ｉｄｅｎｔｉｆｉｃａｔｉｏｎ」の略称であり、我が国では無線自動認識技術といった訳語で呼称されることがある。ＲＦＩＤには、様々なタイプの技術が含まれるが、その概要は以下のとおりである。即ち、ＲＦタグは、メモリが内蔵された記憶媒体であって、電子タグ、ＩＣタグ、ＩＤタグ、ＲＦＩＤタグ、トランスポンダ、無線タグ、あるいは無線ＩＣタグとも呼称されているところであり、シート、カード、あるいはラベルといった様々な材質ないし形状等から形成される支持部材に取り付けられ、カード型、ラベル型、コイン型、スティック型、あるいはリストバンド型といった様々な形態のものとして提供されている。
【０００３】
ＲＦタグ用リーダライタ装置は、インテロゲータとも称呼されるが、ＲＦタグが取り付けられるインクタンク、トナーカートリッジ、あるいは自動車エンジン用のオイルフィルターのような各種の商品等について、その名称、製造地、製造日時、使用期間、又は内容物の残存量といった各種の電子情報をそのＲＦタグに書き込んだり、あるいは既にＲＦタグに書き込まれている電子情報の内容を書き換えたりする装置である。尚、ＲＦタグに電子情報を書き込むための装置は、特にＲＦタグ発行装置やＲＦタグプリンターとも呼称されることがある。また、ＲＦタグ用リーダライタ装置は、既にＲＦタグに書き込まれている電子情報をＲＦタグから読み取るための装置でもある。
【０００４】
ＲＦタグは、ＲＦタグ用リーダライタ装置側のアンテナから発信される電波（以下、「送信電波」という。）を受信すると、共振作用によって起電力を生じ、該起電力によって搭載されているＩＣチップが起動して、該ＩＣチップの電子情報を符号化し、アンテナからＲＦタグ用リーダライタ装置へと電波（以下、「応答電波」という。）を発信する。そうすると、ＲＦタグ用リーダライタ装置は、アンテナでＲＦタグから返信された電波を受信し、該電子情報を複合化して、その必要に応じて該ＲＦタグ用リーダライタ装置に接続されているコンピュータ等にこれを転送するのである。
【０００５】
従来、インクやトナーの残量を検知する等のため、インクタンクやトナーカートリッジにＲＦタグが用いられているとともに、その交換時期を把握する等のため、オイルフィルターにもＲＦタグが用いられている。このような態様でＲＦタグが用いられる場合、ＲＦタグはインクタンクないしプリンタ、トナーカートリッジないし複写機、そして自動車のエンジンルーム等の内部といった閉鎖的ないし狭隘な空間の内部に設置されることになる。そうすると、当該空間内においてＲＦタグが所在する位置によっては、ＲＦタグ用リーダライタ装置との間での電波の送受信を確実かつ円滑に行うことができない場合があった。これは、上記のような閉鎖的ないし狭隘な空間の内部には、開放的ないし広大な空間に比較して、電波の定常波（定在波・停立波）が多く存在するためであると考えられる。
【０００６】
そこで、上記のような問題を解決すべく、従来、ＲＦタグリーダライタ装置におけるアンテナ装置につき、それをＲＦタグリーダライタ装置においてそれを設置する位置を工夫したり、あるいはそれを設置する個数を増やしたりする対策が取られてきたが、必ずしも十分な解決にはなっていなかった。
【０００７】
ここで、ＲＦタグ用リーダライタ装置におけるアンテナ装置につき、複数の種類を組み合わせて用いることが従来提案されている。即ち、簡単な構成により広い範囲に点在するＲＦタグとの間で電波の送受信を行えるようにすべく、ＲＦタグ用リーダライタにつき、複数のアンテナを備えさせ、それらを送信分配器と受信合成器にそれぞれ接続することにより、アンテナの機能につき、受信と送信とを適宜切り替えることによって、ＲＦタグとの間で電波の送受信を行うＲＦタグ用リーダライタ装置が提案されている（例えば、下記の特許文献１を参照。）。
【０００８】
また、１回の電波の送受信により複数のＲＦタグを同時に読み取ることができるようにすべく、ＲＦタグ用リーダライタに複数のアンテナを備えさせ、それらについて受信専用アンテナと送受信兼用アンテナ又は送信専用アンテナとを組み合わせて用いるＲＦタグ用リーダライタ装置が提案されている（例えば、下記の特許文献２を参照。）。
【０００９】
更に、複数のアンテナ素子から構成されるアンテナ装置の指向性を制御すべく、送受信兼用アンテナと送信専用アンテナとを併用するＲＦタグ用リーダライタ装置が提案されている（例えば、下記の特許文献３を参照。）。
【先行技術文献】
【特許文献】
【００１０】
【特許文献１】特開２００５−２４４４４５号公報
【特許文献２】特開２０１０−３４６７３号公報
【特許文献３】特開２００５−３４５１９８号公報
【考案の概要】
【考案が解決しようとする課題】
【００１１】
しかしながら、上記の従来技術に係るＲＦタグ用リーダライタ装置におけるアンテナ装置は、閉鎖的ないし狭隘な空間の内部に設置されるＲＦタグとの間で電波の送受信を十分かつ円滑に行うことを目的とするものではなかったため、その目的を達成するための十分な構成を提案するものではなかった。そこで、本願考案の解決しようとする第一の課題は、ＲＦタグ用リーダライタ装置におけるアンテナ装置につき、閉鎖的ないし狭隘な空間の内部に設置されるＲＦタグが、当該空間においてどのような場所に位置していたとしても、該ＲＦタグとの間で電波の送受信を確実かつ円滑に行うことができるアンテナ装置を提供することにある。
【００１２】
もっとも、ＲＦタグ用リーダライタ装置は、アンテナを増設することにより、ＲＦタグとの間での電波の送受信をより確実で円滑に行えるようになる。しかしながら、ＲＦタグ用リーダライタ装置には、その大きさや構造といった物理的な制約等があるため、単純にアンテナを増設することはできず、アンテナの個数及び種類はその目的を達成するために必要最低限の合理的な構成にする必要がある。本願考案の解決しようとする第二の課題は、ＲＦタグ用リーダライタ装置におけるアンテナ装置につき、コンパクトな構成をもって前記第一の課題を解決することができるアンテナ装置を提供することにある。
【課題を解決するための手段】
【００１３】
本願考案は、上記の各課題を解決するために提案されたものであり、以下の構成を有するものである。以下では、本願考案の構成を理解するのを補助するため、本願に添付した図面に表示した番号及び符号をあわせて記載する。
【００１４】
請求項１に係るＲＦタグ用リーダライタ装置におけるアンテナ装置（１）は、ＲＦタグとの間で電子情報を授受するための電波を送受信するためのＲＦタグ用リーダライタ装置におけるアンテナ装置であって、複数の送受信用アンテナ部（２，３）と、単数又は複数の送信専用アンテナ部（４）と、第一の送受信用アンテナ切替装置（５）と、第二のアンテナ切替装置（６）とを備えている。送受信用アンテナ部（２，３）は、ＲＦタグ（Ｂ）に対して送信する送信電波を発信するために用いるとともに、ＲＦタグ（Ｂ）が該送信電波に応答すべく発信した応答電波を受信するために用いるアンテナ部であって、相互に異なる位置に設置されている。第一のアンテナ切替装置（５）は、それぞれの送受信用アンテナ部（２，３）につき、ＲＦタグ用リーダライタ装置（１）を制御するための制御装置（７）への接続を選択的に切り替えるための装置である。送信専用アンテナ部（４）は、専ら送信電波を発信するために用いるアンテナであって、送受信用アンテナ部（２，３）とは異なる位置に設置されている。第二のアンテナ切替装置（６）は、送受信用アンテナ部（２，３）と送信専用アンテナ部（４）とにつき、制御装置（７）への接続を選択的に切り替えるための装置である。
【００１５】
請求項２に係るＲＦタグ用リーダライタ装置におけるアンテナ装置（１）は、請求項１に記載したＲＦタグ用リーダライタ装置におけるアンテナ装置（１）であって、送受信用アンテナ部（２，３）の個数が２つであって、送信専用アンテナ部（４）の個数が単数である。
【考案の効果】
【００１６】
本願考案に係るＲＦタグ用アンテナ装置は、上記の通りの構成であるから、以下のような効果を奏することができる。
【００１７】
即ち、請求項１に係るＲＦタグ用リーダライタ装置におけるアンテナ装置（１）は、複数の送受信用アンテナ部（２，３）の内のいずれかがＲＦタグ（Ｂ）に対して送信する送信電波を発信するために用いられ、または送信専用アンテナ部（４）が専らＲＦタグ（Ｂ）に対して送信する送信電波を発信するために用いられ、複数の送受信用アンテナ部（２，３）の内のいずれかがＲＦタグ（Ｂ）が該送信電波に応答すべく発信した応答電波を受信するために用いられる。即ち、ＲＦタグ用リーダライタ装置におけるアンテナ装置（１）は、送信電波の通る経路が複数になっている。よって、ＲＦタグ（Ｂ）が閉鎖的ないし狭隘な空間の内部において、いかなる場所に位置していても、ＲＦタグ（Ｂ）との間で電波の送受信を確実かつ円滑に行うことができる。
【００１８】
また、複数の送受信用アンテナ部（２，３）の内のいずれかが発信した送信電波がＲＦタグ（Ｂ）によって受信されない場合、第一のアンテナ切替装置（５）が複数の送受信用アンテナ部（２，３）につき、制御装置（７）への接続を選択的に切り替え、ＲＦタグ（Ｂ）に対して送信電波を再度発信し、ＲＦタグ（Ｂ）が該送信電波に応答すべく発信した応答電波を受信する。そうすると、複数の送受信用アンテナ部（２，３）は相互に異なる位置に設置されているため、ＲＦタグ（Ｂ）が送信電波を受信し易くなるのである。また、送信専用アンテナ部（４）も、送受信用アンテナ部（２，３）とは異なる位置に設置されているため、第二のアンテナ切替装置（６）が送受信用アンテナ部（２，３）と送信専用アンテナ部（４）とにつき、制御装置（７）への接続を選択的に切り替えることにより、ＲＦタグ（Ｂ）が送信電波を受信し易くなるのである。従って、本願発明に係るＲＦタグ用リーダライタ装置におけるアンテナ装置は、ＲＦタグ用リーダライタ装置におけるアンテナ装置につき、閉鎖的ないし狭隘な空間の内部に設置されるＲＦタグが、当該空間においてどのような場所に位置していたとしても、該ＲＦタグとの間で電波の送受信を確実かつ円滑に行うことができるＲＦタグ用リーダライタ装置におけるアンテナ装置を提供するという本願考案が解決しようとする第一の課題を解決することができる。
【００１９】
また、本願考案者の得た知見によれば、送受信用アンテナ部（２，３）の個数を２つにするとともに、送信専用アンテナ部（４）の個数を単数にする構成が、前記第一の課題を達成するために最も合理的な構成である。従って、本願考案に係るＲＦタグ用リーダライタ装置におけるアンテナ装置は、コンパクトな構成をもって前記第一の課題を解決することができるＲＦタグ用リーダライタ装置におけるアンテナ装置を提供するという本願考案が解決しようとする第二の課題を解決することができる。
【図面の簡単な説明】
【００２０】
【図１】本願考案の一実施形態に係るＲＦタグ用リーダライタ装置におけるアンテナ装置を示した概略図である。
【図２】本願考案の一実施形態に係るＲＦタグ用リーダライタ装置におけるアンテナ装置の作用説明図である。
【図３】本願考案の一実施形態に係るＲＦタグ用リーダライタ装置におけるアンテナ装置の作用説明図である。
【図４】本願考案の一実施形態に係るＲＦタグ用リーダライタ装置におけるアンテナ装置の作用説明図である。
【考案を実施するための形態】
【００２１】
以下に、本願考案の一実施形態に係るＲＦタグ用リーダライタ装置におけるアンテナ装置の構造について添付図面に基づいて説明する。
【００２２】
本願考案の一実施形態に係るＲＦタグ用リーダライタ装置におけるアンテナ装置（１）は、図１に図示するように、ＲＦタグ（Ｂ）との間で電子情報を授受するための電波を送受信するためのＲＦタグ用リーダライタ装置（Ａ）におけるアンテナ装置であって、複数の送受信用アンテナ部（２，３）と、単数又は複数の送信専用アンテナ部（４）と、第一のアンテナ切替装置（５）と、第二のアンテナ切替装置（６）とを備えている。
【００２３】
送受信用アンテナ部（２，３）は、図１に図示するように、ＲＦタグ（Ｂ）に対して送信する送信電波を発信するために用いるとともに、ＲＦタグ（Ｂ）が該送信電波に応答すべく発信した応答電波を受信するために用いるアンテナであって、相互に異なる位置に設置されている。送受信用アンテナ部（２，３）は、ＲＦタグ（Ｂ）が使用する周波数に共振するアンテナであって、例えば、従前提供されているＲＦタグ用リーダライタ装置で使用されている各種公知のループアンテナ（枠形アンテナ・フレームアンテナ）を用いることができる。また、図では、送受信用アンテナ部（２，３）は、第一の送受信用アンテナ部（２）と第二の送受信用アンテナ部（３）とからなり、その個数は２つであるが、その個数は特に限定されない。更に、図では、第一の送受信用アンテナ部（２）と第二の送受信用アンテナ部（３）は、ＲＦタグ用リーダライタ装置（Ａ）の一側面に並置されているが、その配置も特に限定されない。
【００２４】
送信専用アンテナ部（４）は、図１に図示するように、専らＲＦタグ（Ｂ）に対して送信する送信電波を発信するために用いるアンテナであって、送受信用アンテナ部（２，３）とは異なる位置に設置されている。送信専用アンテナ部（４）は、送受信用アンテナ部（２，３）と同様に、ＲＦタグ（Ｂ）が使用する周波数に共振するアンテナであって、例えば、従前提供されているＲＦタグ用リーダライタ装置で使用されている各種公知のループアンテナを用いることができる。また、図では、送信専用アンテナ部（４）の個数が単数であるが、その個数は特に限定されない。更に、図では、送信専用アンテナ部（４）は、ＲＦタグ用リーダライタ装置（Ａ）の一側面に第一の送受信用アンテナ部（２）及び第二の送受信用アンテナ部（３）と並置されているが、その配置も特に限定されない。
【００２５】
第一のアンテナ切替装置（５）は、図１に図示するように、それぞれの送受信用アンテナ部（２，３）につき、制御装置（７）への接続を選択的に切り替えるための装置である。また、第二のアンテナ切替装置（６）は、図１ないし３に図示するように、送受信用アンテナ部（２，３）と送信専用アンテナ部（４）とにつき、制御装置（７）への接続を選択的に切り替えるための装置である。
【００２６】
第一のアンテナ切替装置（５）及び第二のアンテナ切替装置（６）は、従前提供されているＲＦタグ用リーダライタ装置で使用されている各種公知の高周波スイッチを用いることができる。第一のアンテナ切替装置（５）及び第二のアンテナ切替装置（６）は、それぞれ制御装置（７）に接続されており、制御装置（７）によって制御されている。制御装置（７）は、従前提供されているＲＦタグ用リーダライタ装置で使用されている各種公知のマイクロコンピュータを用いることができる。
【００２７】
方向性結合器（８）［ディレクショナルカプラー］は、図１に図示するように、第一のアンテナ切替装置（５）及び第二のアンテナ切替装置（６）に接続されており、制御装置（７）から送られる送信信号を送受信用アンテナ部（２，３）に供給するとともに、送受信用アンテナ部（２，３）が受信した受信信号を制御装置（７）に供給するための装置である。方向性結合器（８）は、従前提供されているＲＦタグ用リーダライタ装置で使用されているサーキュレーターといった各種の分岐器を用いることができる。
【００２８】
ＲＦタグ用リーダライタ装置（Ａ）は、図１に図示するように、各種の電子情報をＲＦタグ（Ｂ）に書き込んだり、既にＲＦタグ（Ｂ）に書き込まれている電子情報の内容を書き換えたり、あるいはそれを読み込んだりする装置であって、各種公知のリーダライタ装置を用いることができる。ＲＦタグ用リーダライタ装置（Ａ）は、ＲＦタグ用リーダライタ装置におけるアンテナ装置（１）を備えており、これを用いてＲＦタグ（Ｂ）との間で各種の電子情報を授受するための電波を送受信することにより、各種の電子情報をＲＦタグ（Ｂ）に書き込んだり、既にＲＦタグ（Ｂ）に書き込まれている電子情報の内容を書き換えたり、あるいはそれを読み込んだりすることができる。ＲＦタグ用リーダライタ装置（Ａ）は、図１に図示するように、ＲＦタグ用アンテナ装置（１）をＲＦタグ用リーダライタ装置（Ａ）に搭載し、両者を一体的なものとして形成してもよいが、ＲＦタグ用アンテナ装置（１）とは独立した装置として形成し、これをＲＦタグ用アンテナ装置（１）に接続する態様でもよい。また、ＲＦタグ用リーダライタ装置（Ａ）は、その必要に応じて、各種公知のパーソナルコンピュータといったコンピュータ（Ｃ）等にこれを接続し、複合化した該電子情報をコンピュータ（Ｃ）に転送するように構成してもよい。
【００２９】
以上が、本願考案の一実施形態に係るＲＦタグ用リーダライタ装置におけるアンテナ装置（１）の構造についての説明である。次に、本願考案の一実施形態に係るＲＦタグ用リーダライタ装置におけるアンテナ装置（１）の使用態様について添付図面に基づいて説明する。
【００３０】
図２ないし４に図示するように、ＲＦタグ（Ｂ）が取り付けられているインクタンク、トナーカートリッジ、あるいはオイルフィルターといった各種の商品（Ｐ）がインクタンクないしプリンタ、トナーカートリッジないし複写機、そして自動車のエンジンルーム等の内部といった閉鎖的ないし狭隘な空間（Ｑ）の内部に設置されているとする。以下では、上記のような状況の下で、ＲＦタグ（Ｂ）に商品（Ｐ）の名称、製造地、製造日時、使用期間、又は内容物の残存量といった各種の電子情報をＲＦタグ（Ｂ）に書き込んだり、既にＲＦタグ（Ｂ）に書き込まれている各種の電子情報の内容を書き換えたり、あるいはそれを読み取ったりする場合について説明する。もっとも、本願考案に係るＲＦタグ用リーダライタ装置におけるアンテナ装置（１）の使用態様は、このような態様に限定されるものではない。
【００３１】
ＲＦタグ用リーダライタ装置（Ａ）は、図２ないし４に図示するように、ＲＦタグ（Ｂ）に対し、送受信用アンテナ部（２，３）及び送信専用アンテナ部（４）のいずれかからＲＦタグ（Ｂ）に対して送信する送信電波を発信する。それにより、ＲＦタグ（Ｂ）は、共振作用によって起電力を生じ、該起電力によって搭載されているＩＣチップが起動して、該ＩＣチップの電子情報を符号化し、ＲＦタグ（Ｂ）に搭載されているアンテナから送受信用アンテナ部（２，３）のいずれかへと応答電波を発信する。そうすると、送受信用アンテナ部（２，３）のいずれかが該応答電波を受信し、ＲＦタグ用リーダライタ装置（Ａ）とＲＦタグ（Ｂ）との間での一連の電子情報を授受する処理は終了する。
【００３２】
例えば、図２に図示するように、第二のアンテナ切替装置（６）のスイッチが送信専用アンテナ部（４）側に入っているとともに、第一のアンテナ切替装置（５）のスイッチが第二の送受信用アンテナ部（３）側に入っている場合、ＲＦタグ用リーダライタ装置（Ａ）が、ＲＦタグ（Ｂ）に対し、送信専用アンテナ部（４）からＲＦタグ（Ｂ）に対して送信する送信電波を発信すると、ＲＦタグ（Ｂ）に搭載されているアンテナが応答電波を発信し、第二の送受信用アンテナ部（３）が該応答電波を受信し、ＲＦタグ用リーダライタ装置（Ａ）とＲＦタグ（Ｂ）との間での一連の電子情報を授受する処理は終了するのである。
【００３３】
ここで、閉鎖的ないし狭隘な空間（Ｑ）の内部には電波の定常波（定在波・停立波）が多く存在するため、ＲＦタグ（Ｂ）が空間（Ｑ）の内部において所在する場所によっては、ＲＦタグ（Ｂ）に送信電波が到達しないおそれがある。そのような場合、図３に図示するように、第二のアンテナ切替装置（６）のスイッチを送受信用アンテナ部（２，３）側に切り替えるとともに、第一のアンテナ切替装置（５）のスイッチが第二の送受信用アンテナ部（３）側に入っている場合、ＲＦタグ用リーダライタ装置（Ａ）が、ＲＦタグ（Ｂ）に対し、第二の送受信用アンテナ部（３）からＲＦタグ（Ｂ）に対して送信する送信電波を発信すると、ＲＦタグ（Ｂ）に搭載されているアンテナが応答電波を発信し、第二の送受信用アンテナ部（３）が該応答電波を受信し、ＲＦタグ用リーダライタ装置（Ａ）とＲＦタグ（Ｂ）との間での一連の電子情報を授受する処理は終了するのである。
【００３４】
それでもなお、第二の送受信用アンテナ部（３）からＲＦタグ（Ｂ）に送信電波が到達しない場合、図４に図示するように、第二のアンテナ切替装置（６）のスイッチを送受信用アンテナ部（２，３）側に入れておくともに、第一のアンテナ切替装置（５）のスイッチを第一の送受信用アンテナ部（１）側に切り替えることにより、ＲＦタグ用リーダライタ装置（Ａ）が、ＲＦタグ（Ｂ）に対し、第一の送受信用アンテナ部（３）からＲＦタグ（Ｂ）に対して送信する送信電波を発信すると、ＲＦタグ（Ｂ）に搭載されているアンテナが応答電波を発信し、第一の送受信用アンテナ部（２）が該応答電波を受信し、ＲＦタグ用リーダライタ装置（Ａ）とＲＦタグ（Ｂ）との間での一連の電子情報を授受する処理は終了するのである。
【００３５】
このように、ＲＦタグ用リーダライタ装置におけるアンテナ装置（１）は、送受信用アンテナ部（２，３）のいずれか又は送信専用アンテナ部（４）からＲＦタグ（Ｂ）に対して送信する送信電波を発信するところ、送信電波の通る経路が複数になっている。また、複数の送受信用アンテナ部（２，３）及び送信専用アンテナ部（４）は、それぞれ異なる位置に設置されているため、ＲＦタグ（Ｂ）が送信電波を受信し易くなる。
【００３６】
そうすると、ＲＦタグ用リーダライタ装置におけるアンテナ装置（１）は、閉鎖的ないし狭隘な空間（Ｑ）の内部に設置されるＲＦタグ（Ｂ）が、空間（Ｑ）においてどのような場所に位置していたとしても、ＲＦタグ（Ｂ）との間で電波の送受信を確実かつ円滑に行うことができる。よって、ＲＦタグ用リーダライタ装置（Ａ）は、ＲＦタグ用リーダライタ装置におけるアンテナ装置（１）を備えているため、これを用いてＲＦタグとの間で電波を送受信することにより、各種の商品（Ｐ）について、その名称、製造地、製造日時、使用期間、又は内容物の残存量といった各種の電子情報をＲＦタグ（Ｂ）に書き込み、既にＲＦタグ（Ｂ）に書き込まれている各種の電子情報の内容を書き換え、あるいはそれを読み取ることをより確実に行うことができる。
【００３７】
尚、前記の目的を達成するために、ＲＦタグ用リーダライタ装置におけるアンテナ装置（１）として備えるべき送受信用アンテナ部（２，３）及び送信専用アンテナ部（４）の個数は特に限定されない。しかしながら、本願考案者の得た知見によれば、ＲＦタグ用リーダライタ装置におけるアンテナ装置として、送受信用アンテナ部（２，３）の個数を２つにするとともに、送信専用アンテナ部（４）の個数を単数にする構成が、前記の目的を達成するために最も合理的な構成である。従って、ＲＦタグ用リーダライタ装置には、その大きさや構造といった物理的な制約等があるため、単純にアンテナを増設することはできないところであるが、ＲＦタグ用リーダライタ装置におけるアンテナ装置（１）は、コンパクトな構成をもって、上記の目的を達成することができるのである。
【符号の説明】
【００３８】
１  ＲＦタグ用リーダライタ装置におけるアンテナ装置
２  第一の送受信用アンテナ部
３  第二の送受信用アンテナ部
４  送信専用アンテナ部
５  第一のアンテナ切替装置
６  第二のアンテナ切替装置
７  制御装置
８  方向性結合器
Ａ  ＲＦタグ用リーダライタ装置
Ｂ  ＲＦタグ
Ｃ  コンピュータ
Ｐ  商品
Ｑ  空間
【図１】
0003233767.tif 000003
【図２】
0003233767.tif 000004
【図３】
0003233767.tif 000005
【図４】
0003233767.tif 000006